(57)【要約】  本発明の人工椎間板は、有機繊維を立体の３軸以上の多軸三次元織組織もしくは編組織又はこれらの複合組織とした生体の椎間板を模倣した構造と物理挙動をもつ組織構造体と、この組織構造体の上下両表面にそれぞれ設置された固定用の凸子とからなり、その凸子は組織構造体の表裏を貫通する連結糸で連結固定されている。この組織構造体は本来の椎間板としての生体模倣的な物理的挙動を発現するため、臨床に真に有効な信頼性の高い低侵襲で挿入固定が可能な自立型生体模倣性人工椎間板が実現できる。
2010113530.tif 000002
【特許請求の範囲】
【請求項１】
有機繊維を立体の３軸以上の多軸三次元織組織もしくは編組織又はこれらの複合組織とした組織構造体と、
上記組織構造体の上表面と下表面にそれぞれ設置された凸子と、
からなる自立型生体模倣性人工椎間板。
【請求項２】
上記組織構造体の上表面に設置された上記凸子と下表面に設置された上記凸子が、上記組織構造体を上下方向に貫通する連結糸によって、テンションが加えられた状態で連結されている、請求項１に記載の自立型生体模倣性人工椎間板。
【請求項３】
上記凸子の高さが１．０〜３．０ｍｍであり、上記凸子の組織構造体との当接面が、平坦面又は組織構造体側に凸曲もしくは凹曲する凸曲面もしくは凹曲面に形成されている、請求項１又は請求項２に記載の自立型生体模倣性人工椎間板。
【請求項４】
上記凸子の高さが０．３〜１．０ｍｍであり、上記凸子が組織構造体の上表面と下表面のそれぞれに少なくとも５個づつ設置されている請求項１又は請求項２に記載の自立型生体模倣性人工椎間板。
【請求項５】
上記凸子がＸ線不透過性のバイオセラミックスからなる凸子である、請求項１ないし請求項４のいずれかに記載の自立型生体模倣性人工椎間板。
【請求項６】
上記凸子がＸ線不透過性で且つ生体活性なバイオセラミックスからなる凸子である、請求項１ないし請求項４のいずれかに記載の自立型生体模倣性人工椎間板。
【請求項７】
上記凸子がＸ線不透過性で且つ生体活性な生体内吸収性バイオセラミックスの粉体と生体内分解吸収性ポリマーとの複合体からなる凸子である、請求項１ないし請求項４のいずれかに記載の自立型生体模倣性人工椎間板。
【請求項８】
上記組織構造体の上下の表層部が、上記組織構造体の他の部分よりも柔軟である、請求項１ないし請求項４のいずれかに記載の自立型生体模倣性人工椎間板。
【請求項９】
上記組織構造体の上表面層と下表面層に生体活性なバイオセラミックスの粉体が吹き付けられている、請求項１ないし請求項４のいずれかに記載の自立型生体模倣性人工椎間板。
【請求項１０】
上記組織構造体の上表面層と下表面層が、生体活性なバイオセラミックスの粉体と生体内分解吸収性ポリマーとの複合体でコーティングされている、請求項１ないし請求項４のいずれかに記載の自立型生体模倣性人工椎間板。
【発明の詳細な説明】
【技術分野】
【０００１】
本発明は、低侵襲に挿入、固定が可能な生体模倣性(biomimetic)の構造と動的挙動を有する自立型の立体多軸三次元織物人工椎間板（A stand-alone type of cubic multi-axial three-dimensional
fabric-artificial intervertebral disc ; Stand-alone
3DF Disc）に関する。更に詳しくは、本発明は、上下の椎体に対して信頼できる固定性を有し、その固定によっても本来の生体模倣的な可動性が失われることがなく、しかも、椎間拡張を極力少なくし椎体をできる限り傷つけないで椎体間へ容易に挿入、固定（minimally invasive operation）でき、椎体表面との界面で経時的な結合状態をレントゲンによって観察することもできる、臨床に真に有効で信頼性の高い自立型（バイオミメティック）生体模倣性人工椎間板に関する。
【背景技術】
【０００２】
本発明者は、椎体間に挿入されて上下から生体の荷重を受けた場合に、椎体のエンドプレート（endplate）表面に良く密着しながら生体の椎間板を模倣した可動性（biomimetic
mobility）を示す人工椎間板を出願した。その一つは、有機繊維の立体多軸三次元織組織もしくは編組織又はこれらの複合組織とした組織構造体に、生体活性且つ吸収性の剛いピンを上下に貫通させて、ピンの両端部を組織構造体の上下両面から突出させた人工椎間板（特許文献１）であり、もう一つは、上記組織構造体の内部に上記ピンを上下に貫入させて、組織構造体が上下から圧縮されるとピンの両端部が組織構造体の上下両面から突き出すようにした人工椎間板（特許文献２）である。これらは、組織構造体の上下両面から突き出すピンの両端部を、上下の椎体のエンドプレート表面にあけた穴に嵌め込んで固定する、自立型の人工椎間板である。【０００３】
しかしながら、上記人工椎間板を用いて、死体への挿入、および可動実験、マントヒヒ（Baboon）への埋入、可動実験を行った結果、以下のような欠点があるのを認識するに至った。即ち、上記人工椎間板の有機繊維の組織構造体を貫通しもしくは内部に貫入して、その上下の表面から突出したピンで固定しようとした場合には、以下のような問題が残ることが分かった。【０００４】
一つの問題は、上記人工椎間板の椎体間への挿入、固定が下記の如く困難であり、無理な挿入によって椎体あるいは隣接椎間板を傷める危険性があることである。【０００５】
痛んだ椎間板を掻爬して整備した椎体空間（Disc Space）に上記人工椎間板を挿入して固定するときは、最初に上下の椎体のエンドプレート表面にエンドプレートパンチャー（Endplate Puncher）を用いて穴（punched hole）を開け、この穴に人工椎間板の組織構造体の上下両面から突き出したピンの両端部を嵌め込んで正しい位置に人工椎間板を設置、固定するための準備をする。ピンが穴の位置と一致する位置まで人工椎間板を挿入するには、ピンの突き出した両端部の長さだけ椎体間を押し拡げなければならないので、当然ながら、拡げられた椎体に押されて、隣接する上下の椎間板がその分だけ圧迫されることになる。確実な固定をするためには、人工椎間板の組織構造体の表面から突き出したピンの片方の端部の必要な長さ（突出長さ）は、経験的に１．０〜３．０ｍｍ、望ましくは少なくとも１．０〜２．０ｍｍである。【０００６】
上記人工椎間板を挿入するときは、挿入冶具であるキャタリスト（Catalyst）の先端部分の二枚のブレード（Blade）により人工椎間板の組織構造体を挟み込んで保持するのである。この際、このブレードにピン端部の突出長さと同じ深さの凹溝、あるいは、ブレードの表裏まで貫通した切込み溝を設けて、突き出したピンの端部を嵌め込んだ状態で椎間に挿入する方法を採らねばならない。しかし、ピン端部の突出長さよりも厚いブレードにピン端部の突出長さと同じ深さの凹溝を設ける場合は、ブレードの厚みの方がピン端部の突出長さよりも大きいので、このブレードの厚み分だけ、椎間を更に押し拡げなければならない。これにより、隣接椎間板が更に圧迫されて、壊死、損傷する危険性が増すことになる。【０００７】
一方、ピン端部の突出長さと同じ厚みのブレードに切込み溝を設ける場合は、上記の場合よりも薄い１．０〜２．０（３．０）ｍｍ厚のブレードで人工椎間板の組織構造体を把持することになるので、上記の場合よりも椎間の拡張は抑えられる。しかし、この場合は、掻爬して整備した椎間に露呈しているエンドプレート表面地形（形状）に沿うように人工椎間板の組織構造体を圧迫密着(press fitting)させる状態は得られない。椎体のエンドプレートと人工椎間板の組織構造体との界面での結合性を促進させるには、少し厚めの組織構造体を椎間に挿入し、圧迫固定して密着状態にするのがよい。そのためには、ピン端部の突出長さと同じ、例えば１．０〜２．０（３．０）ｍｍの厚さを持つ二枚のブレードで上下から組織構造体を圧縮し、組織構造体の厚みを薄くした状態で椎間に挿入して所定の位置にセットし、ブレードを抜き取った後に組織構造体が上下の椎体の圧力で圧縮されて、両端部が突き出したピンにより固定を得るという方法を採ることになる。しかし、これでは組織構造体をブレードで圧縮した分だけピンの端部がブレードの表面から突き出すことになるので、結局はピンの全長だけ椎間を拡張しなければならないことに代わりはない。いずれにせよ、手術中に椎間距離拡張を出来る限り小さくするために、表裏が貫通した切込み溝を持つブレードを用いる場合においても、ブレードは人工椎間板の組織構造体を圧迫密着に必要な厚みだけ圧縮できる物理的強度をもたねばならない。【０００８】
しかし、実際には、人工椎間板の組織構造体を圧迫密着に必要な１．０〜２．０ｍｍ程度の厚みだけでも圧縮するためには、極めて大きな力が必要である。例えば頚椎(Cervical)の場合でも平均的頭部の重量である８０Ｎ（Newton）程度が必要である。ましてや腰椎においてはその数倍以上もの圧縮力が要求される。換言すれば、頚椎用人工椎間板の組織構造体はこの圧縮値で適度に可動的な変形をするように設計されている。挿入冶具であるキャタリストの先端部分の二枚のブレードによってこのプレス強度を実行できるのは、それがステンレス製のブレードであっても、頚椎用人工椎間板の組織構造体の場合であっても少なくとも約３．５ｍｍ以上の厚みが必要であることが分かった。これよりも薄いとブレードは外側に反り曲がり、組織構造体を均等に圧縮できない。３．５ｍｍ厚のブレードを用いて組織構造体を上下から０．５ｍｍずつ圧縮すると仮定しても、少なくても上下の椎体を６．０ｍｍは拡げる必要がある。実際は挿入をスム−ズにするために上下の椎体を１．０〜２．０ｍｍ余分に拡げる必要があるので、この圧縮挿入の場合であっても７．０〜８．０ｍｍ以上は拡げなくてはならないことになる。手術中にこの様に大きな椎間拡張を数分間以上続けるだけで、隣接椎間板が圧迫されて壊死を起こす可能性が大きく、極めて危険である。したがって、このように厚いブレードを用いて組織構造体を上下の椎体のエンドプレート表面に圧迫密着させる方法は臨床的に採用すべきでない。【０００９】
上記ピンの端部の突出長さが長い（≧１．０ｍｍ）ほど、信頼ある固定によって安定な自立性が得られるが、上記の理由であまり長くできない。そこで、ピン端部の突出長さを長くしたい場合は、組織構造体の上下両面から突き出すピン端部の突出長さと同じ深さの溝（channel）を上下の椎体のエンドプレートに掘り（keeling）、この溝にピンの端部を通して、定位置に納めるような工夫が考えられる。それにより、ピン端部の突出長さ分だけ上下の椎体間隔を拡張する必要がなくなる。この方法は金属/ポリマーの二層構造(Metal/Polymer; two layers)、または金属/ポリマー/金属の三層構造(Metal/Polymer/Metal；three layers)などの現在臨床使用されているボール・ソケット(Ball and
Socket)タイプの人工椎間板に採用されている。しかしながらこの方法は、挿入の目的だけのために健全な椎体をむやみに傷つける上に、何らかの副作用も併発することは避けられないので、臨床的には極力避けるべきである。【００１０】
もう一つの問題は、前記人工椎間板の組織構造体を貫通し若しくは組織構造体内部に貫入された剛いピンが、組織構造体本来の可動性を阻害することである。
概して、高さ方向（上下方向）に負荷されたときの加圧、除圧（Compression,
Decompression）時の組織構造体本来の動的挙動は比較的抑制されないが、左右の曲げ（Lateral
bending）、および前屈、後屈（Flexion, Extension）運動のときは、組織構造体のＸ，Ｙ，Ｚ軸の構成糸が剛いピンによって引っ張られるので自由に本来の変形ができない。本発明者は上記の運動中に組織構造体の厚みの中間部において、内側に向けて座屈(buckling)することを確認した。即ち、Ｉｎ  ｖｉｔｒｏの実験において、人工の椎体間に挟んでこれらの運動をシュミレ−ションした動画を観察すると、前屈、後屈の場合には、組織構造体はピンにより、その周囲の糸が剛性のあるピンにより引っ張られて拘束されるので、組織構造体の前面および後面は中間部より内側に向けて顕著な座屈現象を起すことが分かった。この現象が長期の動的運動のなかで繰り返されると、糸に異常な負荷がかかるので糸の劣化や破断、あるいは組織の破損に及ぶ。そして、埋入後の長期間に組織構造体の破壊に到ることは不可避である。同様に、捻り運動（Torsional Motion）時にも自然な組織構造体の挙動が阻害される。即ち、剛いピンによる可動性の抑制作用は人工椎間板の動き易さの目安の値であるＲＯＭ（Range of Motion）値の低下をきたすので、このような剛性のある貫入、貫通ピンの使用は避けねばならない。【００１１】
その他の問題としては、ピンが組織構造体中を容易に上下移動してピン端部の突出長さが変わるため、椎体のエンドプレートに形成された穴への納まりに確実性がなく、固定の信頼性に欠けることが挙げられる。また、負荷を受けながら、組織構造体が動的に変形している間に、その変形力によってピン自体が曲がってしまい、エンドプレートに形成された穴から抜け出して、椎間から脱転する可能性があるので、長期間の固定性の信頼に欠けることも挙げられる。
【先行技術文献】
【特許文献】
【００１２】
【特許文献１】特開２００３−２３０５８３号公報
【特許文献２】国際公開第０９／０８４５５９号
【発明の概要】
【発明が解決しようとする課題】
【００１３】
本発明は上記問題に対処すべくなされたものである。即ち、本発明が解決しようとする課題は、有機繊維の立体多軸三次元織（編）組織構造体を用いた人工椎間板であって、上下の椎体に対して信頼できる固定性を有し、その固定によっても組織構造体本来の生体模倣的な可動性が失われることがなく、しかも、椎間拡張を極力少なくし椎体をできる限り傷つけないで椎体間へ容易に低侵襲に挿入、固定することができ、椎体表面と組織構造体との界面で経時的な結合状態をレントゲンによって観察することもできる、臨床に真に有効で信頼性の高い自立型生体模倣性人工椎間板を提供することにある。
【課題を解決するための手段】
【００１４】
上記課題を解決するため、本発明に係る自立型生体模倣性人工椎間板は、有機繊維を立体の３軸以上の多軸三次元織組織もしくは編組織又はこれらの複合組織とした組織構造体と、この組織構造体の上表面と下表面にそれぞれ設置された凸子（「ピン」や「凸状素子」ともいえる。）と、からなることを特徴とするものである。【００１５】
本発明の自立型生体模倣性人工椎間板においては、組織構造体の上表面に設置された凸子（上表面側凸子）と下表面に設置された凸子（下表面側凸子）が、組織構造体を上下方向に貫通する連結糸によって、テンションが加えられた状態で連結されていることが好ましい。そして、上下の椎体のエンドプレート表面に開けた穴に上記凸子を嵌め込んで人工椎間板の組織構造体を自立固定させる場合は、上記凸子の高さが１．０〜３．０ｍｍであり、凸子の組織構造体との当接面が、平坦面又は組織構造体側に凸曲もしくは凹曲する凸曲面もしくは凹曲面に形成されていることが好ましい。これは、凸子が、組織構造体を構成する糸の上に乗ることにより貫入し難くすることと、上面からの椎体の圧力によって組織構造体の表面に沈下埋没した状態から除圧開放されたときに、組織構造体を構成する糸の反発力によって表面に飛び出し易くするためである。また、後述するようにラスプで粗面化した椎体のエンドプレート表面に上記凸子を引っ掛けて人工椎間板の組織構造体を自立固定させる場合は、上記凸子の高さを０．３〜１．０ｍｍとし、且つ、組織構造体の上下両表面のそれぞれに上記凸子を少なくとも５個ずつ（もちろん５個に限定されるわけではないが）設置することが好ましい。なお、上記いずれの場合においても、上表面側凸子の高さと下表面側凸子の高さは同じでも違っていてもよい。【００１６】
上記凸子は、Ｘ線不透過性のバイオセラミックスからなる凸子、或いは、Ｘ線不透過性で且つ生体活性なバイオセラミックスからなる凸子、のいずれかであることが好ましい。但し、後述するように組織構造体の上下両表面層に生体活性なバイオセラミックスの粉体を吹き付けるなどの処理をして椎体との結合性を付与する場合は、Ｘ線不透過性で且つ生体活性な生体内吸収性バイオセラミックスの粉体と生体内分解吸収性ポリマーとの複合体からなる凸子も好ましく使用される。【００１７】
また、上記組織構造体の上下の表層部は、組織構造体の他の部分よりも柔軟であることが好ましい。そして、上記組織構造体の上表面層と下表面層に生体活性なバイオセラミックスの粉体が吹き付けられているか、又は、上記組織構造体の上表面層と下表面層が、生体活性なバイオセラミックスの粉体と生体内分解吸収性ポリマーとの複合体でコーティングされていることが好ましい。これにより、椎体表面の骨と組織構造体との結合が為され、より信頼性が高められた自立固定性が得られる。
【発明の効果】
【００１８】
本発明に係る自立型生体模倣性人工椎間板を椎間に挿入、固定するときは、挿入治具の二枚のブレード（溝が形成されていないブレード）で本発明の人工椎間板を上下から圧迫して、組織構造体の上面と下面に設置された凸子の先端が組織構造体の上表面と下表両に面一となるように、凸子を組織構造体の上表面と下表面に押し込んで沈ませ、組織構造体と二枚のブレードとの合計厚みよりも少し拡げた上下の椎体間に挿入する。そして、二枚のブレードを取り除くと、組織構造体の上表面と下表面に押し込まれて沈んでいる凸子が組織構造体の糸の反発力（弾性復元力）で元の突き出た状態に戻って、上下の椎体のエンドプレート表面にあけられた穴に嵌まり込み、これによって本発明の人工椎間板が上下の椎体間に自立固定される。
その場合、本発明の人工椎間板の組織構造体が、掻爬して整備した椎体間距離（拡げる前の椎体間距離）よりも片側で０．５〜１．０ｍｍ、両側で１．０〜２．０ｍｍ程度厚いものであると、拡げられた上下の椎体が人工椎間板挿入後、元の椎体間距離に戻されたとき、組織構造体の上下両表面が上下の椎体のエンドプレート表面地形に沿って少し圧迫された状態で密着することになる。このように圧迫密着した状態は、組織構造体の上下両表面層に生体活性なバイオセラミックス粉体を吹き付けるなどの処理した場合に、バイオセラミックス粉体の骨伝導（誘導）性により組織構造体と椎体との良好な骨結合性（Bone Bonding）を得るのに好適である。【００１９】
上記のように、本発明の人工椎間板は、上下の椎体間に挿入するときに挿入治具の二枚のブレードで組織構造体の上下両表面の凸子を上下両表面に押し込んで沈ませるものであるから、大きい圧迫力は不要であり、それ故、挿入治具のブレードは０．５ｍｍ厚程度の薄いステンレス製のブレードでも十分である。このため、上下の椎体は、両側で二枚のブレードの厚み分１．０ｍｍと余裕の隙間分１．０〜２．０ｍｍとの合計２．０〜３．０ｍｍだけ拡げればよく、また、圧迫密着させるために椎体間距離（拡げる前の椎体間距離）よりも両側で１．０〜２．０ｍｍ程度厚い組織構造体を用いる場合でも、上下の椎体を両側で３．０〜５．０ｍｍ程度拡げればよい。このように、本発明の人工椎間板は、前述した従来の貫通ピンや貫入ピンを用いた人工椎間板のように上下の椎体を両側で７．０〜８．０ｍｍ以上拡げなければならないものに比べると、椎間拡張がほぼ半分以下となるため、隣接椎間板が壊死、損傷する危険性がなくなり、また、椎間拡張に特別な方法を施す必要もなくなる。【００２０】
本発明の人工椎間板においては、組織構造体の上表面に設置された凸子と下表面に設置された凸子が、組織構造体を上下方向に貫通する連結糸によって、張力(tension)が加えられた状態で連結されているので、凸子が組織構造体から離脱したり転倒したりすることなく、安定した設置状態を保つことができ、しかも、挿入治具のブレードで凸子を組織構造体の上表面と下表面に押し込むときに連結糸がその妨げとならないため、小さい圧迫力で凸子を容易に押し込んで沈ませることができる。そして、この連結糸は、従来の人工椎間板の剛性のある貫通ピンや貫入ピンのように左右の曲げ運動や前後屈運動のときに組織構造体の構成糸を引っ張って、動的な動きを拘束することがないので、組織構造体本来の生体模倣的な変形を妨げたり、組織構造体の厚みの中間部において内側に向けて座屈現象を起こしたりする欠点を解消することができる。【００２１】
また、上下の椎体のエンドプレート表面に開けた穴に上記凸子を嵌め込んで自立固定させる人工椎間板は、凸子の高さを１．０〜３．０ｍｍとし、凸子の組織構造体との当接面（底面）を平坦面又は組織構造体側に凸曲もしくは凹曲した凸曲面もしくは凹曲面とするのがよい。凸子の高さが１．０ｍｍ以上であれば、凸子が椎体のエンドプレート表面の穴に抜け出さないように確実に嵌まり込み、３．０ｍｍ以下であれば、椎体のエンドプレート表面に深すぎる穴をあける必要がないので好ましい。そして、凸子の底面が平坦面に形成されているものは凸子の設置安定性が良く、また、凸子の底面が組織構造体側に凸曲する凸曲面、もしくは凹曲する凹曲面に形成されているものは、底面の面積が平坦面のそれよりも幾分大きくなり、組織構造体を構成する糸をその分だけ多く凸子の底に敷設することになるので凸子の設置安定性が更に向上する。従って、挿入治具のブレードで凸子を圧迫しながら組織構造体の上下両表面を凹ませて押し込むときに凸子が倒れる心配がなく、しかも、ブレードを取り除くと同時に組織構造体を構成する糸の弾性復元力によって凸子が安定良く直立状態で椎体のエンドプレート表面の穴に嵌まり込み、該穴から抜け出す惧れがないので、組織構造体が椎間から脱転しないように確実に固定することができる。特に、凸曲面の場合は、凸子の位置がエンドプレート表面にあけた穴から少しずれた状態で挿入設置されたとしても、少し揺さぶってやる事により凸子の先端が底面の曲率に応じて揺れ動くので、穴に嵌り易くなるのでよい。
一方、ラスプで粗面化した椎体のエンドプレート表面に凸子を引っ掛けて自立固定させる人工椎間板は、凸子の高さを０．３〜１．０ｍｍとし、且つ、組織構造体の上下両表面のそれぞれに上記凸子を少なくとも５個づつ設置するのがよい。凸子の高さが０．３ｍｍ以上であれば、粗面化された椎体のエンドプレート表面に凸子が確実に引っ掛かって自立固定でき、１．０ｍｍ以下であれエンドプレート表面と組織構造体の上下両表面との圧迫密着を損なう恐れがないので好ましい。また、組織構造体の上下両表面にそれぞれ設置される凸子の個数が少なくとも５個づつあれば、凸子が椎体のエンドプレート表面に引っ掛かって滑り抵抗が大きくなり、人工椎間板の脱転を確実に阻止することができる。【００２２】
また、本発明の人工椎間板において、凸子がＸ線不透過性のバイオセラミックスからなるものであると、該凸子がレントゲンに映るので、レントゲン撮影によって、該凸子が椎体のエンドプレート表面の穴にうまく嵌まり込んでいるかどうかを観察でき、手術直後や長期経過後の組織構造体の位置や椎体との界面での結合状態などを観察することができる。そして、凸子がＸ線不透過性で且つ生体活性なバイオセラミックスからなるものであると、上記に加えて、生体活性なバイオセラミックスの骨伝導能により、椎体から骨組織が凸子に伝導形成されて椎体と凸子が結合される利点がある。更に、凸子がＸ線不透過性で且つ生体活性な生体内吸収性バイオセラミックスの粉体と生体内分解吸収性ポリマーとの複合体からなるものであると、生体内分解吸収性ポリマーの加水分解の進行に伴って露出するバイオセラミックス粉体の骨伝導能により、椎体から骨組織が凸子に伝導形成され、最終的に凸子のポリマーもバイオセラミックス粉体も吸収されて、凸子が骨組織と全置換して消失し、椎体のエンドプレートの穴が全置換した骨組織で埋められて修復されるという利点がある。もっとも、この複合体からなる凸子を設置する場合は、凸子が消失するまでに組織構造体と椎体が結合できるように、組織構造体の上下両表面層に椎体との結合性を付与する処理（生体内吸収性、且つ生体活性なバイオセラミックスの粉体を吹き付けるなどの処理）を施せば、凸子が消失した後も組織構造体の位置ずれや脱転を防止できる。この場合、生体内非吸収性の生体活性なバイオセラミックスを用いるとこの粉体が他の部位に流出して予想できない組織との異物反応を起こす危惧があるので、生体内吸収性、且生体活性なバイオセラミックスの粉体を用いるべきである。【００２３】
また、本発明の人工椎間板において、組織構造体の上下の表層部が、組織構造体の中間層部分よりも柔軟であるものは、この組織構造体の椎体間設置後に表層部の表面が上部の椎体の自重によって、整備された後の椎体のエンドプレート表面の地形に良く沿って圧迫密着性を確実に発現するので好ましい。【００２４】
更に、本発明の人工椎間板において、組織構造体の上表面層と下表面層に生体活性なバイオセラミックスの粉体が吹き付けられているものは、バイオセラミックス粉体の骨伝導能によって椎体から骨組織が組織構造体の上下両表面層に伝導形成され、骨組織が組織構造体の上下両表面層の有機繊維と絡んで椎体と組織構造体が結合するため、人工椎間板の自立固定性が増して椎間から脱転する危惧が回避される。
また、本発明の人工椎間板において、組織構造体の上表面層と下表面層が、生体活性なバイオセラミックスの粉体と生体内分解吸収性ポリマーとの複合体でコーティングされているものは、生体内分解吸収性ポリマーの加水分解の進行に伴って露出するバイオセラミックス粉体の骨伝導能ないし骨誘導能によって、椎体から骨組織が組織構造体の上下両表面層に伝導（誘導）形成されて該ポリマーと置換し、上記と同様に骨組織が組織構造体の上下両表面層の有機繊維に絡んで椎体と組織構造体が結合されるため、人工椎間板の自立固定が完全となって椎間から脱転する危惧が解消される。
【図面の簡単な説明】
【００２５】
【図１】本発明の一実施形態に係る自立型生体模倣性人工椎間板の斜視図である。
【図２】同人工椎間板の正面図である。
【図３】同人工椎間板の概略断面図であって、挿入治具の二枚のブレードで上下から圧迫する前の状態を示すものである。
【図４】同人工椎間板の概略断面図であって、挿入治具の二枚のブレードで上下から圧迫した状態を示すものである。
【図５】上下の椎体間に設置された同人工椎間板の概略断面図である。
【図６】本発明の他の実施形態に係る自立型生体模倣性人工椎間板の斜視図である。
【図７】本発明の更に他の実施形態に係る自立型生体模倣性人工椎間板（腰椎用の勾玉型、部分置換タイプ）の斜視図である。
【図８】同人工椎間板の挿入位置を示す平面図である。
【発明を実施するための形態】
【００２６】
以下、図面を参照して本発明の具体的な実施形態を詳述する。
【００２７】
図１，図２に示す自立型生体模倣性人工椎間板１０は、図５に示すように、頸椎、胸椎、あるは腰椎の上下の椎体２０，２０間に挿入、固定される全置換型の人工椎間板であって、前半分が半円形で後半分が長方形の平面形状を有する生体の椎間板に良く似た形状であり、このバルク状に形成された有機繊維の組織構造体１と、この組織構造体１の上表面と下表面の相対向する位置にそれぞれ設置された凸子２とからなるものである。この人工椎間板１０の大きさは、ヒトの体の大きさによっても異なり、また、成人用と子供用、腰椎、胸椎、頸椎用で異なるが、例えば、一般的な成人用で脊椎用の人工椎間板の場合は、通常、横幅寸法が３０〜４０ｍｍ程度、前後寸法が２５〜３０ｍｍ程度、厚さが１０〜１５ｍｍ程度であり、成人用で頸椎用の人工椎間板の場合は、通常、横幅寸法が１４〜２０ｍｍ程度、前後寸法が１０〜１５ｍｍ程度、厚さが８〜１２ｍｍ程度である。
【００２８】
この人工椎間板１０の組織構造体１は、有機繊維を立体の３軸以上の三次元織組織もしくは編組織又はこれらの複合組織とした組織構造体であって、椎間板と同程度の静的な機械的強度と柔軟性を有し、動的（変形）挙動がきわめて生体模倣的である。この組織構造体１は、本出願人が既に出願した特願平６−２５４５１５号（特許第３２４３６７９号）に記載された組織構造体と同様のものであって、その幾何学的形状を次元数で表し、繊維配列の方位数を軸数で表すならば、上記のように３軸以上の多軸−三次元織組織等からなる構造体である。
【００２９】
所謂３軸−三次元組織は、縦、横、垂直の３軸の方向の繊維を立体的に組織したもので、その構造体の代表的な形状は、上記のような厚みのあるバルク状（板状ないしブロック状）であるが、円筒状やハニカム状とすることも可能である。この３軸−三次元組織は、組織の違いによって、直交組織、非直交組織、絡み組織、円筒組織などに分類される。また、４軸以上の多軸−三次元組織の構造体は、４，５，６，７，９，１１軸等の多軸方位を配列することによって、構造体の強度的な等方性を向上させることができるものである。そして、これらの選択によって、より生体の椎間板に酷似した、よりバイオミメティックな構造体を任意に得ることができる。
【００３０】
この人工椎間板１０の組織構造体１は、上記のような有機繊維の織、編組織をつくる技術を工夫して、椎間板にふさわしい種々の静的、動的物理物性を有する組織構造体に造り上げたものであって、図３に示すように、この組織構造体１の内層部１ａを挟んで上下両側には、組織構造体１の内層部１ａよりも柔軟な表層部１ｂ，１ｂが形成されている。このように表層部１ｂ，１ｂが内層部１ａよりも柔軟であると、この人工椎間板１０を椎間に挿入するときに、挿入治具であるブレードを用いてスポット的に存在する凸子２を組織構造体１の上下両表面に押し込みやすくなるのである。つまり、０．５ｍｍ程度の薄いブレードであっても、凸子２がスポット的に点在するので、組織構造体１の上下両表面に押し込めるのである。ただし、このような場合でも３．５ｍｍ以上の厚いステンレス製のブレードを用いて挟み込んで圧迫しないと表層部１ｂ，１ｂを全面的に圧縮して組織構造体１の厚さを小さくすることはできない。しかし、少し厚い（例えば、片側が０．５ｍｍ程度真の椎体間距離より厚い）組織構造体１を選んで、これを挿入するときに、椎間をそれに応じた分だけ少し拡げて人工椎間板１０を挿入、設置した後、椎体よりも上部の荷重で元の椎体間距離まで戻ったときに、図５に示すように、柔軟な表層部１ｂ，１ｂが椎体２０，２０のエンドプレート表面の凹凸地形に容易に追従して変形して沿うために、組織構造体１と椎体２０，２０との密着性が大幅に向上するという目的を達成できるのである。換言すれば、挿入すべき組織構造体１に凸子２の高さの２倍を加えた距離に椎間を拡げる必要はなく、挿入すべき組織構造体１の距離だけ拡げればよく、両側の凸子２は０．５ｍｍ厚のブレードで圧迫して両表層に沈み込ませて（貫入ではない）、椎間に挿入設置する事ができるのである。柔軟な表層部１ｂ，１ｂを形成する手法としては、例えば、単位空間当たりの糸の多少を表す緻密度を小さくしたり、糸の本数が同じ場合は糸を細くしたりするなどの手法が有力であり、糸の本数をどの程度減らすか、或いは、糸をどの程度の細さにするかによって、上下の表層部１ｂ，１ｂの柔軟性を自由に変えることができる。
【００３１】
柔軟な表層部１ｂ，１ｂの厚みは、凸子２の高さよりも大きくすることが好ましく、そのようにすれば、図４に示すように挿入治具の二枚のブレード３，３によって上下から小さい圧迫力で凸子２，２を圧迫しながら表層部１ｂ，１ｂを凹ませて、凸子２，２の先端が組織構造体１の上下両表面（表層部１ｂ，１ｂの表面）と面一になるまで容易に押し込んで沈ませることができる。
【００３２】
この実施形態の人工椎間板１０では、組織構造体１の上下両表面を平坦面としているが、上側の椎体２０の凹んだエンドプレートの下面に接触する組織構造体１の上表面（上側の表層部１ｂの表面）は、上側の椎体２０の凹んだエンドプレートの下面の地形にほぼ合致する隆起面であってもよく、その場合は、上側の表層部１ｂが上側の椎体２０の凹んだ下表面に嵌まった状態でほぼ均等に圧縮変形して密着するため、組織構造体１の上側に椎体２０の圧力がほぼ均等にかかるという利点があり、また、隆起した上面が組織構造体１の位置ズレや脱転を防止する役目も果たすことになる。そして、このような密着状態にあれば、椎体骨との結合が効果的に達成される。下側の椎体２０の上表面に接触する組織構造体１の下表面は、椎体２０の上面が下面よりも平面状に近いのが普通であるので、その表面地形に沿うように平坦面のままであってよい。
【００３３】
なお、組織構造体１を前述したような内層部１ａとこれより柔軟な上下の表層部１ｂ，１ｂとからなる三層構造とすることは必須要素でなく、適度の柔軟性を持つ単層構造の組織構造体でもよいことは言うまでもない。
【００３４】
組織構造体１の内部空隙率は２０〜９０％の範囲にあることが好ましく、２０％以上であれば、組織構造体１が緻密になって柔軟性や変形性が損なわれることがないため、人工椎間板の組織構造体として満足できるものとなる。また、９０％以下であれば、組織構造体１の動的、静的物理物性が十分であり、圧縮強度や保形性が損なわれることもない。
【００３５】
組織構造体１を構成する有機繊維としては、医療用具として実績のあるものが選択される。生体不活性な合成樹脂繊維としては、ポリエチレン、ポリプロピレン、ポリテトラフルオロエチレンなどの生体不活性な繊維、および、これらまたはこれらとは別の有機質の繊維を用いて柔軟性を発現するためのマルチフィラメント芯材とし、上記の生体不活性な樹脂で被覆して生体不活性とした被覆繊維などが好ましく使用される。特に、超高分子ポリエチレンの芯繊維として直鎖状の低密度ポリエチレンの被膜で被覆した被覆繊維（直径が例えば０．２〜０．４ｍｍ程度のモノフィラメント）は、強度、硬さ、弾力性、織編のしやすさ等の点で最適な繊維である。尚、これとは別に、生体活性（例えば骨伝導能や骨誘導能）のある繊維を選ぶこともできる。
【００３６】
有機繊維の組織構造体ついては、前記の特願平６−２５４５１５号（特許第３２４３６７９号）に詳細に開示されているので、これ以上の説明は省略する。なお、特願平６−２５４５１５号（特許第３２４３６７９号）の内容は本明細書に組み込まれる。
【００３７】
組織構造体１の上表面と下表面に設置された凸子２は、図５に示すように人工椎間板１０を上下の椎体２０，２０間に挿入したとき、椎体２０，２０のエンドプレート表面に開けられた穴２０ａ，２０ａに嵌まり込んで、組織構造体１が位置ズレしたり椎間から脱転したりすることがないように固定するものである。人工椎間板１０の信頼ある自立固定を行わせるには、組織構造体１の左右の曲げ運動や前後屈運動によって凸子２が椎体２０のエンドプレート表面の穴２０ａから抜け出さないようにすること、及び、凸子２が脱離しないように組織構造体１の上下両表面に設置することが必要である。
【００３８】
凸子２が椎体２０のエンドプレート表面の穴２０ａから抜け出さないようにするためには、凸子２の高さを１．０〜３．０ｍｍに設定することが重要である。凸子２の高さが１．０ｍｍ以上であれば、椎体２０の表面の穴２０ａから抜け出す惧れがなく、一方、３．０ｍｍ以下であれば、深い穴２０ａをあけなくてもよいので負担が小さくなり、また、挿入治具のブレード３，３によって凸子２の先端が組織構造体１の上下両面と面一になるまで凸子２を組織構造体１の上下両面に押し込む作業がし易くなる。凸子２の更に好ましい高さは、１．５〜２．０ｍｍである。
【００３９】
凸子２の形状は、エンドプレートパンチャーで椎体２０のエンドプレート表面に開けられる穴２０ａの種々の形状に見合って、効果的な形状が任意に選択できる。この実施形態における凸子２は、椎体２０のエンドプレート表面の穴２０ａの形状が円錐形であるため、それに見合う截頭円錐形（頂部を水平に切断した円錐形）としている。この截頭円錐形の凸子２は、その高さが上記のように１．０〜３．０ｍｍ（好ましくは１．５〜２．０ｍｍ）に設定されており、底面の直径が１．５〜２．０ｍｍ、頂部切断面の直径が１．０〜１．５ｍｍに設定されている。そして、この截頭円錐形の凸子２の中心線上には、後述する連結糸４を通す孔径が０．５ｍｍ程度の貫通孔２ａが形成されている。
【００４０】
この凸子２の組織構造体１との当接面である底面２ｂは、図３〜図５に示すように組織構造体１側に凸曲する凸曲面（凸球面）に形成されている。そのため、凸子２の底面２ｂが組織構造体１の上下両表面に少し沈んだ状態で凸子２が安定良く設置されており、図４に示すように挿入治具のブレード３，３で凸子２を圧迫して組織構造体１の上下両表面（上下の表層部１ｂ，１ｂの表面）を凹ませながら効率よく押し込むことができ、凸子２が倒れる心配が少なく、ブレードを取り除くと、図５に示すように組織構造体１の表層部１ｂ，１ｂの組織構造体を形成する糸の弾性復元力で凸子２が安定良く直立姿勢で突き出して椎体２０，２０のエンドプレート表面の穴２０ａに嵌まり込み、自立固定の機能を確実に発揮することができる。また、凸子２の底面２ｂは凹面（凹球面）または平坦面でもよく、その場合も同様に設置安定性が良く、自立固定の機能を確実に発揮することができる。
【００４１】
凸子２の形状は上記の截頭円錐形に限定されるものではなく、椎体２０のエンドプレート表面に開けられる穴２０ａの形状に見合って、例えば球形、半球形、紡錘形、截頭角錐形、円柱形、角柱形など種々の形状とすることが可能である。そして、これらの大きさは、上記截頭円錐形の凸子２の大きさを基準として多少変化させてもよい。
【００４２】
この人工椎間板１０は、凸子２を脱離しないように組織構造体１の上下両表面に設置するために、組織構造体１を上下方向に貫通する有機の連結糸４によって、組織構造体１の上下表両面の凸子２，２を少しテンションを加えた状態で連結している。即ち、有機の連結糸４を組織構造体１の構成糸の間を通して上下方向に貫通させ、この連結糸４の両端部を組織構造体１の上下両表面の凸子２，２の貫通孔２ａに通して、貫通孔２ａから突き出す連結糸４の両端に抜止め部４ａを形成することにより、組織構造体１の上下両表面の凸子２，２を離脱しないように連結して上下両表面に設置している。そして、この有機の連結糸４による凸子２，２の連結を、上下から組織構造体１を少し圧迫して厚みを減少させた状態で行うことによって、圧迫解除により組織構造体１が元の厚みに復元したときに凸子２，２間にテンションが加わるようにし、凸子２，２を組織構造体１の上下両面に乗せた状態で少し沈み加減に倒れることなく直立姿勢でしっかりと設置されている。
【００４３】
有機の連結糸４としては、前述した組織構造体１に用いる直径が０．２〜０．４ｍｍ程度の合成樹脂繊維や被覆繊維からなる構成糸と同じものが好ましく使用される。同一糸であることは、本発明の人工椎間板の承認を得る上で有利である。そして、この連結糸４の両端の抜止め部４ａは、超音波加熱器、半田ゴテ、火炎などで連結糸４の両端を加熱、溶融させて、凸子２の貫通孔２ａの直径よりも大きい直径を有する塊を造る等の手段で形成することが好ましい。なお、この抜止め部４ａは有機連結糸４の両端部に結び目を造る等の手段で形成してもよい。また、連結糸４は１本に限定されるものではなく、複数本の連結糸４で組織構造体１の上下両表面の凸子２，２を連結してもよい。
【００４４】
このように、組織構造体１の上表面の凸子２と下表面の凸子２が連結糸４によってテンションが加えられた状態で連結されていると、組織構造体の変形に伴って互いに引っ張り合った状態で上下の凸子２が上下両表面により密着固定された状態になるので、凸子２が組織構造体１から離脱したり転倒したりすることが牽制されて、安定した設置状態を保つことができ、しかも、挿入治具のブレード３，３で凸子２，２を組織構造体１の上表面と下表面に押し込むときに連結糸４が弛んで妨げとならないため、小さい圧迫力で凸子２，２を容易に押し込んで沈ませることができる。そして、この連結糸４は、従来の人工椎間板に用いた剛性のあるロッド状の貫通ピンや貫入ピンのように左右の曲げ運動や前後屈運動のときに組織構造体１の構成糸を引っ張って拘束することがないので、組織構造体１本来の生体模倣的な変形を妨げたり、組織構造体１の厚みの中間部において内側に向けて座屈現象を起こしたりする欠点を解消する。
【００４５】
凸子２の材質は、既に臨床上の実績を持つＸ線不透過性のバイオセラミックス、或いは、Ｘ線不透過性で且つ生体活性なバイオセラミックスのいずれかを選択できる。凸子２がＸ線不透過性のバイオセラミックスからなるものであると、該凸子２がレントゲンに映るので、レントゲン撮影によって、該凸子２が椎体２０のエンドプレート表面の穴２０ａにうまく嵌まり込んでいるかどうかを観察でき、また、手術直後や長期経過後の組織構造体１の位置や椎体２０との界面での結合状態なども観察できるので、臨床に真に有効で信頼性の高い人工椎間板が得られる。そして、凸子２がＸ線不透過性で且つ生体活性なバイオセラミックスからなるものであると、上記に加えて、生体活性なバイオセラミックスの骨伝導能により、椎体２０から骨組織が凸子２に伝導形成されて椎体２０と凸子２が結合される利点がある。
【００４６】
また、後述するように、組織構造体１の上下両表面層に生体活性なバイオセラミックスの粉体を吹き付けるなどの処理をして組織構造体１に椎体との結合性を付与する場合は、凸子２として、Ｘ線不透過性で且つ生体活性な生体内吸収性バイオセラミックスの粉体と生体内分解吸収性ポリマーとの複合体からなるものも好ましく使用することができる。凸子２がこのような複合体からなるものであると、生体内分解吸収性ポリマーの加水分解の進行に伴って露出するバイオセラミックス粉体の骨伝導能により、椎体２０から骨組織が凸子２に伝導形成され、最終的に凸子２のポリマーもバイオセラミックス粉体も吸収されて、凸子が骨組織と全置換して消失するため、椎体２０のエンドプレート表面に開けられた穴２０ａが全置換した骨組織で埋められて修復される利点がある。このように凸子２が消失しても、組織構造体１は椎体２０と結合しているので、椎間での位置ズレや脱転が妨げられる。
【００４７】
凸子２の材料となるＸ線不透過性のバイオセラミックスとしては、金属と比べるとアーチファクト（Artifact）の少ないアルミナ、ジルコニア、イットリウム-ジルコニア（YTZ）のアロイなどが使用される。
そして、Ｘ線不透過性で且つ生体活性なバイオセラミックスとしては、焼成もしくは仮焼成のハイドロキシアパタイト、ジカルシウムフォスフェート、トリカルシウムフォスフェート、テトラカルシウムフォスフェート、オクタカルシウムフォスフェート、カルサイト、セラバイタル、ジオプサイトなどが使用され、その中でも生体活性が大きく、優れた骨伝導性を有する焼成もしくは仮焼成のハイドロキシアパタイトやβ−トリカルシウムフォスフェートなどが好ましく使用される。
【００４８】
また、凸子２の材料となる前記複合体としては、Ｘ線不透過性で且つ生体活性な生体内吸収性バイオセラミックスの粉体、例えば、非焼成のハイドロキシアパタイト、焼成もしくは仮焼成のジカルシウムフォスフェート、トリカルシウムフォスフェート、テトラカルシウムフォスフェート、オクタカルシウムフォスフェート、カルサイト、セラバイタル、ジオプサイトなどの粉体と、結晶性のポリ−Ｌ−乳酸その他の乳酸系の生体内分解吸収性ポリマーとの複合体が使用される。生体内分解吸収性ポリマーの分子量は特に限定されないが、粘度平均分子量が１０万〜６０万程度のものが適当であり、場合によっては、鍛造や延伸によりポリマー分子や結晶を配向させて強度を高めたものを使用するのもよい。
【００４９】
複合体における生体内吸収性バイオセラミックス粉体の含有量は、２０〜５０質量％の範囲内とするのが適当である。２０質量％以上であれば、レントゲン撮影によって凸子２が明瞭に映るようになり、また、凸子２の分解吸収が速やかに行われるので骨組織との置換にそれほど長期間を要しない。一方、９０質量％以下であれば、凸子２が脆弱化する心配もない。バイオセラミックス粉体の更に好ましい含有量は、２５〜５０質量％の範囲である。
【００５０】
凸子２の設置個数は特に限定されないが、一般的に頸椎用の人工椎間板の場合は上下両表面に２つずつ、これより大きい胸椎や腰椎用の人工椎間板の場合は上下両表面に３つずつ設置するのが適当である。ただし、それらは上下の表面において同じ位置に設置されるのが普通である。組織構造体１の上下両表面に凸子２を２つずつ設置する場合は、図１，図２に示すように凸子２を横並びに設置してもよいし、縦並びに設置してもよい。また、組織構造体１の上下両表面に凸子２を３つずつ設置する場合は、左右対称の二等辺三角形の各頂点に設置するのがよい。
【００５１】
組織構造体１の上下の表面層（上下の表面から０．５〜１．５ｍｍの深さまでの部分）には、上述したＸ線不透過性で且つ生体活性なバイオセラミックス粉体を吹き付けるか、或いは、該バイオセラミックス粉体と生体内分解吸収性ポリマーとの複合体をコーティングするなどの処理を行うことによって、椎体２０との結合性を付与することが望ましく、特に、凸子２が骨組織と全置換して消失するものである場合は、上記の処理を行うと自立固定性の信頼性が高まる。なお、図３〜図５における符号５は、上記のバイオセラミックス粉体の吹き付け層、又は、複合体のコーティング層を示している。
【００５２】
上記のように組織構造体１の上下の表面層に生体活性なバイオセラミックスの粉体が吹き付けられていると、バイオセラミックス粉体の骨伝導能によって椎体２０，２０から骨組織が組織構造体１の上下両面の表層に伝導形成され、骨組織が組織構造体１の上下両面の表層の有機繊維と絡んで椎体２０，２０と組織構造体１が結合されるため、人工椎間板１０の自立固定が完全となり、椎間から脱転する危惧がなくなる。
【００５３】
また、組織構造体１の上下両表面層が、生体活性なバイオセラミックスの粉体と生体内分解吸収性ポリマーとの複合体でコーティングされていると、生体内分解吸収性ポリマーの加水分解の進行に伴って露出するバイオセラミックス粉体の骨伝導能によって、椎体２０，２０から骨組織が組織構造体１の上下両表面層に伝導（誘導）形成されて該ポリマーと置換し、骨組織が組織構造体１の上下両表面層の有機繊維に絡んで椎体２０，２０と組織構造体１が結合されるため、人工椎間板１０の自立固定性の信頼性が高まって椎間から脱転する危惧が解消される。
【００５４】
そして、バイオセラミックス粉体の吹き付け処理の場合も、複合体のコーティング処理の場合も、組織構造体１の上下両表面層に存在するＸ線不透過性のバイオセラミックス粉体によって、組織構造体１の上下両表面層がレントゲン撮影の際に映し出されるので、椎体２０，２０と組織構造体１の上下両表面との接触状態や結合状態をより良く観察することができる。
【００５５】
上記の吹き付け処理に用いる生体活性なバイオセラミックスの粉体は、骨組織と完全に置換される前記の生体内吸収性バイオセラミックスの粉体が好適であり、吹き付けのし易さや生体への吸収性を考慮すると、３０μｍ以下、好ましくは１０μｍ以下、更に好ましくは０．１〜５μｍ（平均粒径：３〜５μｍ）程度の粒径を有するものが使用される。特に、０．１〜５μｍ程度の粒径を有するものは、生体への吸収性が良好であるので好ましく使用される。
【００５６】
バイオセラミックス粉体の吹き付け処理は、例えば次の方法で行われる。７０〜１００℃に加熱した閉鎖された空間に、組織構造体１を設置すると共に、バイオセラミックス粉体よりも細かい網目をもつ金属ネットの上にバイオセラミックス粉体を載せて、組織構造体１の下側に設置する。そして、組織構造体１とバイオセラミックス粉体が加熱された時点で、１００〜１３０℃に加熱された空気をドライヤーを用いて吹き付けると、バイオセラミックス粉体が組織構造体１の表層に突き刺さり、脱落しないように付着する。必要ならばこの操作を何度か繰り返し、付着するバイオセラミックス粉体の量を調節する。なお、表層に突き刺さらないで単に付着しているだけのバイオセラミックス粉体は、エタノールや水などを用いて洗い流すことで、表層に食い込んで容易に脱落しない状態の表面処理が完了する。
【００５７】
吹き付け処理によって付着させるバイオセラミックス粉体の量は特に限定されないが、単位表面積（１ｃｍ2）当たり０．２〜３ｍｇとすることが好ましい。０．２ｍｇ以上であれば、組織構造体１の上下両表面層への骨組織の伝導形成が適度に早くなって、上下の椎体２０，２０と早期に結合し易くなる。一方、３ｍｇ以下であれば、上下両表面層に突き刺さらないで単に付着しているだけのバイオセラミックス粉体が増えず脱落し難くなる。より好ましい範囲は０．５〜１ｍｇである。
【００５８】
前記のコーティング処理に用いる複合体としては、吹き付け処理に用いるのと同じ生体活性な生体内吸収性バイオセラミックスの粉体と、分解が比較的速く、弾力性があって脆くない、非晶質又は結晶と非晶の混在したポリ−Ｄ，Ｌ−乳酸、Ｌ−乳酸とＤ，Ｌ−乳酸の共重合体、乳酸とグリコール酸の共重合体、乳酸とｐ−ジオキサノンの共重合体、乳酸とエチレングリコールの共重合体、乳酸とカプロラクトンの共重合体などの生体内分解吸収性ポリマーとの複合体が好適である。上記ポリマーの分子量は特に限定されないが、コーティング膜の強度や分解吸収の速さなどを考慮すると、３万〜１０万程度の粘度平均分子量を有するものが好ましく使用される。粘度平均分子量が３万以上であれば、椎体２０の圧力や動きによってコーティング膜が組織構造体１の上下両表層の有機繊維から剥がれ難くなり、一方、１０万以下であれば、分解吸収の期間が長くなり過ぎず組織構造体１の上下両表層への骨組織の伝導形成が適度に速くなり、椎体２０，２０との結合が速やかに行われ易いので好ましい。生体内分解吸収性ポリマーのより好ましい粘度平均分子量は、一般に３万〜５万を選択すればよい。
【００５９】
コーティング用の複合体におけるバイオセラミックス粉体の含有量は、５０〜９５質量％とすることが好ましく、この範囲内で含有させると、バイオセラミックス粉体の骨伝導能によって、速やかに骨組織が組織構造体１の上下両表面層に伝導形成され、椎体２０と早期に結合されて固定される。含有量が５０質量％以上であれば、骨組織の伝導（誘導）形成が適度に速くなり、９５質量％以下であれば、コーティング膜が脆弱化し難く過剰のバイオセラミックス粉体がこぼれ落ちる虞がないので好ましい。バイオセラミックス粉体の更に好ましい含有量は６０〜８０質量％である。
【００６０】
なお、この吹き付け用やコーティング用のバイオセラミック粉体、または複合体には、骨誘導能をもつ各種の骨形成、成長、誘導因子であるサイトカインや薬剤（ＥＰ４）、或いは、ＢＭＰ（Bone Morphogenetic Protein）、ＰＲＰ（Platelet-Rich-Plasma）、ＢＭＣ（Bone Mallow Cell）などを適量含有させてもよく、その場合は骨誘導が顕著になり、組織構造体１の上下両表面層における骨組織の成長，置換が著しく促進されて、組織構造体１と椎体２０が早期に結合する利点がある。同様に、前述したバイオセラミックス粉体と生体内分解吸収性ポリマーとの複合体からなる凸子２に、上記のものを適量含有させてもよい。
【００６１】
コーティング処理は、エタノール、ジクロロエタン（メタン）、クロロホルムなどの揮発性溶媒に、上記の生体内分解吸収性ポリマーを溶解すると共に、バイオセラミックス粉体を上記含有量で均一に混合して懸濁液を調製し、この懸濁液を組織構造体１の上下両表面に塗布するか、或いは、この懸濁液を組織構造体１の上下両表面にスプレー（吹き付け）するか、或いは、この懸濁液に組織構造体１の上下両表面層を浸漬することによって行われる。その場合、組織構造体１の上下両表面にコロナ放電、プラズマ処理、過酸化水素処理などの酸化処理を予め行うことによって濡れ特性を改善し、骨細胞の侵入、成長を効果的にするのもよい。
【００６２】
組織構造体１の上下両表面層に複合体をコーティングする厚さ（複合体が上下両表面から浸透する厚さ）は上下の表面から０．５〜１．５ｍｍの深さまでであることが好ましく、この程度の厚さであれば、繊維構造体１と椎体２０，２０が強固に結合し、しかも、骨組織が組織構造体１の内層部１ａにまで侵入するのを防ぎ、繊維構造体１が生体の椎間板と同様の動き（Ｂｉｏｍｉｍｅｔｉｃ）をして変形し、人工椎間板としての役目を十分に果たす。コーティングする厚さが０．５ｍｍ以上であれば、伝導（誘導）形成される骨組織の層が薄くなり過ぎず、上下両面の有機繊維と骨組織の絡み合いが充分となり、組織構造体１と椎体３０との結合強度を確保できる。一方、コーティングする厚さが１．５ｍｍ以下であれば、骨組織が伝導形成されることのない生体不活性な組織構造体１本体の内層部の厚みが相対的に薄くなりすぎず、繊維構造体１がバイオミメティックに充分変形して人工椎間板としての機能を確保できる。複合体をコーティングする更に好ましい厚さは０．７〜１．０ｍｍである。なお、複合体をコーティングする厚さの調整は、前述のコーティング用懸濁液の粘度を調整したり、塗布量等を調整したりすることによって容易に行うことができる。
【００６３】
組織構造体１の上下両表面層に、上述した生体活性なバイオセラミックス粉体の吹き付け処理や複合体のコーティング処理を行い、且つ、凸子２として骨組織と全置換して消失するものを組織構造体１の両表面に設置して連結糸４で連結する場合は、連結糸４として、組織構造体１と上下の椎体２０，２０が結合した後に生体内で分解吸収されるポリ乳酸、ポリグリコール酸、乳酸とグリコール酸との共重合体、ポリジオキサノン等の生体内分解吸収性ポリマーからなる連結糸を使用してもよい。かかる連結糸４が分解吸収され、凸子２が消失しても、組織構造体１は上下の椎体２０，２０と結合しているので、組織構造体１の位置ズレや脱転が生じる惧れはなく、組織構造体１が単独で椎間板の役目を果たせるからである。また、これにより連結糸４と凸子２が異物として生体内に残存しない利点がある。ポリジオキサノンの連結糸は伸縮性があるので、椎間の圧縮方向の伸縮を考慮する場合には有効である。
【００６４】
次に、本実施形態の人工椎間板１０を上下の椎体２０，２０間に挿入し、圧迫密着させて設置する操作方法について説明する。
【００６５】
先ず、他の治療法では修復不可能なまでに痛んだ椎間板を掻爬して椎間を整備し、上下の椎体２０，２０のエンドプレートにパンチャーで穴２０ａ，２０ａをあける。そして、組織構造体１の厚みが上下の椎体間距離（椎間を拡げる前の距離）よりも少し厚い人工椎間板、好ましくは片側で０．５ｍｍ程度、両側で１．０ｍｍ程度厚い人工椎間板１０を選択し、図３に示すように、この人工椎間板１０を挿入治具の厚さ０．５ｍｍ程度の二枚のステンレス製ブレード３，３で挟んで、図４に示すように上下から圧迫する。すると、組織構造体１の上下両表面に設置された凸子２，２は、図４に示すように、組織構造体１の上下両表面の糸と糸との隙間に貫入することなく、組織構造体１を形成している糸の上に乗って上下の柔軟な表層部１ｂ，１ｂを凹ませながら直立姿勢で押し込まれ、連結糸４は凸子２，２が押し込まれた分だけ弛みを生じ、凸子２，２の先端と組織構造体１の上下両表面が面一になる深さまで凸子２，２が沈むことになる。その場合、凸子２，２は連結糸４で連結されて設置されているために倒れることなく表面に対して垂直に沈み込む。また、ブレ−ド３，３からの圧迫力が直接加わるのはスポット的に点在する凸子２，２に対してのみであり、組織構造体１の全表面に対するものではないので、０．５ｍｍ程度の薄いステンレス製ブレード３，３によってこの押し込み操作を容易に行うことができる。組織構造体１の全表面を押さえ込で圧縮する場合に極めて大きな圧縮力を要するのは立体３軸三次元状に織られたＸ，Ｙ，Ｚ軸の糸が圧縮変形時に互いに引っ張り合って変形の抑制力として働くためである。これは全面を圧縮するときに発現するが、スポット的に点在する凸子を押さえ込む場合には、全体の互いに牽制された糸の動きではなく、凸子２の下のスポット的な糸の変形で済むので、凸子２に小さな加重を与えるだけで変形して容易に表面から内側に沈み込む事ができるのである。
【００６６】
例えば、椎体２０の表面地形に沿って密着するように配慮して、整復後の椎間の真の間隔よりも片側で各々０．５ｍｍ、両側で１．０ｍｍ厚い組織構造体１を０．５ｍｍ厚のブレード３，３で上下から挟み込んで椎間に挿入する場合には、理論的には真の椎間よりも２．０ｍｍだけ椎間を広げる必要がある。実際には、挿入しやすいようにこれよりも０．５〜１．０ｍｍ程度余裕をもって拡げて操作すればし易いので、大きく見ても２．５〜３．０ｍｍの拡張が必要であるが、この程度の小さな拡張であれば、隣接椎間板に異常な圧迫が伝わる事はないので、隣接椎間板が術中に壊死に至る事はない。このように本発明の人工椎間板を用いると、椎間拡張を小さくすることができるので挿入時の手術操作が低侵襲に行われ、隣接椎間板が圧迫されて壊死、損傷する危険性がなくなり、また、椎間拡張のために特別な拡張器具や方法を採用する必要もなくなる。一方、先述の如く組織構造体１の上下両表面の全面を押さえ込むには経験的に３．５ｍｍ以上のブレードの厚みが必要であるから、挿入時の両側で１．０ｍｍの間隙をみても８．０ｍｍ以上の椎間拡張が要るので、術中に隣接椎間板が壊死、損傷する危険性が極めて高くなる。
【００６７】
上記のように人工椎間板１０を挿入治具の二枚のブレード３，３で圧迫して少し拡張された椎間に挿入し、人工椎間板１０の組織構造体１を挿入治具のストッパーで後戻りしないように押したまま、二枚のブレード３，３を椎間から引き抜くと、組織構造体１の上下の表層部１ｂ，１ｂが弾性復元力で元の状態に膨張、復元し、凸子２，２は直立姿勢まま表層部１ｂ，１ｂの凹みから押し出されて組織構造体１の上下両表面から突き出した状態に戻り、凸子２，２の先端部が上下の椎体２０，２０のエンドプレート表面の穴２０ａ，２０ａに嵌まり込む。そして、椎体より上部の頭部等の荷重を加えて椎間を圧迫し元の椎体間距離に戻すと、図５に示すように、組織構造体１の上下の表層部１ｂ，１ｂは椎体２０，２０によってそれぞれ０．５ｍｍ程度ずつ圧縮されて椎体２０，２０のエンドプレートの表面地形に沿って圧迫密着すると共に、上下両表面の凸子２，２はエンドプレート表面の穴２０ａ，２０ａに完全に嵌まり込み、これによって人工椎間板１０は椎間に自立固定され、位置ズレや脱転を生じる心配が解消される。なお、ブレード３，３の引き抜きを容易にするために、ブレード３，３の表面をフッ素処理して滑り易くしておくことが望ましい。
【００６８】
このように本発明の人工椎間板を椎間に挿入、設置すると、組織構造体が生体の椎間板に酷似したバイオミメティックな動きをして、椎間板の役目を十分に果たすことができる。つまり、この人工椎間板は、組織構造体１の上下両表面の凸子２，２を、組織構造体を上下方向に貫通する連結糸４で連結した構造であり、左右の曲げ運動や前後屈運動のときに該連結糸４が組織構造体１の構成糸を引っ張って拘束することがないので、組織構造体１本来の生体模倣的な変形を妨げたり、組織構造体１の厚みの中間部において内側に向けて座屈現象を起こしたりする惧を解消することができる。
【００６９】
また、この人工椎間板１０は、凸子２がＸ線不透過性のバイオセラミックスなどのＸ線不透過性材料からなるものであり、組織構造体１の上下両表面層にも、Ｘ線不透過性の生体活性なバイオセラミックス粉体を吹き付けたり、該粉体と生体内分解吸収性ポリマーとの複合体をコーティングしたりしているため、この人工椎間板１０が挿入、設置された椎間をレントゲン撮影して凸子２，２や組織構造体１の上下両表面層を側面から映し出すと、凸子２，２が椎体２０，２０のエンドプレート表面の穴２０ａ，２０ａにうまく嵌まり込んでいるかどうか、或いは、組織構造体１の位置や組織構造体１の上下両表面と椎体２０，２０との接触状態、結合状態などを観察することができ、しかも、組織構造体１の上下両表面と上下の椎体２０，２０が既述したように経時的に結合状態を維持して、完全に自立固定されるので、臨床に真に有効であり、高い信頼性を獲得する。
【００７０】
以上の実施形態の人工椎間板１０では、組織構造体１の上下両表面の凸子２，２を連結糸４にて少しテンションを加えて連結することにより離脱しないように設置しているが、他の手段、例えば凸子２を好適な糸で組織構造体１の上下両面に直接縫い付けるなどの手段で、組織構造体１の上下両表面に凸子２，２が離脱しないように設置してもよい。
【００７１】
上記の人工椎間板１０は、上下の椎体２０，２０のエンドプレート表面に開けた穴２０ａ，２０ａに凸子２，２を嵌め込んで組織構造体１を自立固定させるタイプのものであるが、ラスプ（Rasp）で粗面化した椎体２０，２０のエンドプレート表面に凸子２，２を引っ掛けて組織構造体１を自立固定させるタイプの人工椎間板の場合は、組織構造体１の上下両表面に比較的小さい凸子２，２を少なくとも５個づつ設置し、且つ、凸子２の高さを０．３〜１．０ｍｍ、好ましくは０．５ｍｍ程度とするのがよい。凸子の高さが０．３ｍｍ以上であれば、粗面化された椎体２０，２０のエンドプレート表面に凸子２，２が確実に引っ掛かって組織構造体１が確実に自立固定され、一方、１．０ｍｍ以下であれ、エンドプレート表面と組織構造体１の上下両表面との圧迫密着が損なわれる虞れがなくなる利点がある。また、組織構造体１の上下両表面にそれぞれ設置される凸子２，２の個数が少なくとも５個づつあれば、凸子２，２が椎体２０，２０のエンドプレート表面に引っ掛かって滑り抵抗が大きくなり、人工椎間板の脱転を確実に阻止することが可能となる。組織構造体１の上下両表面のそれぞれに設置される凸子２，２の個数の上限は、凸子２の大きさや組織構造体１の大きさによっても異なるが、３０個程度までとするのが適当である。なお、この場合の凸子２の先端面及び底面の直径は、貫通孔２ａの直径と連結糸４の太さを考慮して０．６〜１．０ｍｍの範囲内に設定し、中空の貫通孔２ａの直径は連結糸４の太さに応じて０．３〜０．５ｍｍの範囲内に設定するのが好ましい。
【００７２】
次に、図６を参照して、本発明の更に他の実施形態に係る自立型生体模倣性人工椎間板を説明する。
【００７３】
この人工椎間板１１は椎間板の半分を置換する部分置換型の人工椎間板であって、前述した全置換型の人工椎間板１０を左右に二分割した形状を有している。この人工椎間板１１の構成は前述の人工椎間板１０と実質的に同一であって、柔軟な上下の表層部を形成した有機繊維の組織構造体１の上下両表面に、凸子２を２つずつ縦並びに設置し、組織構造体１を上下に貫通する連結糸４で上下両面の凸子２，２をテンションが加えられた状態で連結すると共に、組織構造体１の上下両表面層に生体活性なバイオセラミックスの粉体を吹き付けるか、又は、該セラミックスの粉体と生体内分解吸収性ポリマーとの複合体をコーティングして、椎体との結合性を付与したものである。
【００７４】
このような部分置換型の人工椎間板１１は、椎体間の片側に背後から挿入できるので、全置換型の人工椎間板１０のように椎体間に前方から挿入するものに比べると、簡単に手術を行うことができる。そして、この人工椎間板１１も、前記の人工椎間板１０と同様の優れた作用効果を奏する。
【００７５】
次に、図７，図８を参照して、本発明の更に他の実施形態に係る自立型生体模倣性人工椎間板を説明する。
【００７６】
この部分置換型の人工椎間板１２は円弧状に構成されたものであって、その一端（先端）が丸く形成されており、椎体間に左右一対挿入されるものである。この人工椎間板１２の標準的な大きさは、例えば成人の腰椎用の部分置換型の人工椎間板として使用する場合には、横幅寸法が９ｍｍ程度、厚み寸法が１１ｍｍ程度、円弧状の中心線の曲率半径が２２〜２３ｍｍ程度、円弧状の中心線に沿った長さ寸法が３０ｍｍ程度である。
【００７７】
この人工椎間板１２は、前述した全置換型の人工椎間板１０とは形状が異なるけれども、その構造は実質的に同様である。即ち、柔軟な上下の表層部を形成した有機繊維の組織構造体１の上下両表面に、凸子２を２つずつ設置し、組織構造体１を上下に貫通する連結糸４で上下両面の凸子２，２をテンションが加えられた状態で連結すると共に、組織構造体１の上下両表面層に生体活性なバイオセラミックスの粉体を吹き付けるか、又は、該セラミックスの粉体と生体内分解吸収性ポリマーとの複合体をコーティングして、椎体との結合性を付与したものである。
【００７８】
このような部分置換型の人工椎間板１２は、椎体の背後から図８に示すように椎体２０間に左右一対挿入されるので、全置換型の人工椎間板１０に比べると手術が簡単であり、しかも、人工椎間板１２の先端が丸く形成されているので、先端が椎体２０に引掛かることなくスムーズに挿入することができる。この挿入固定は現在臨床的に頻繁に使われている脊椎癒合用のケ−ジ（Spinal Fusion Cage）の操作と同様に行うことが出来る。そして、この人工椎間板１２も、前記の人工椎間板１０と同様の優れた作用効果を奏する。
【００７９】
以上、本発明の自立型生体模倣性人工椎間板の代表的な実施形態について説明したが、本発明はこれらのみに限定されるものではなく、特許請求の範囲の記載の本発明の技術的思想を利用した種々の変形例や改良例が存在し、それらが本発明に含まれることは当業者に明白である。例えば、凸子の数や形状は、例えば組織構造体の構成、凸子の寸法や粗面化の程度等に応じて、本発明の効果が得られる範囲で適宜設計変更が可能である。
【産業上の利用可能性】
【００８０】
本発明の自立型生体模倣性人工椎間板は、椎間拡張を極力少なくし椎体をできる限り傷つけない低侵襲の条件を満たして椎間へ容易に挿入でき、組織構造体の上下両表面に設置された凸子が上下の椎体のエンドプレート表面に形成された穴に嵌まり込んで、脱転や位置ずれが生じないように確実に自立固定され、長期に亘って生体模倣的な組織構造体が椎体の動きに追従して生体模倣的に変形して椎間板の役目を果たす信頼性の高いものであり、レントゲン撮影によって凸子の嵌合状態や椎体表面との接触状態、結合状態などを観察できる、臨床に真に有効なものである。
【符号の説明】
【００８１】
１    組織構造体
１ａ  組織構造体の内層部
１ｂ  組織構造体の上下の表層部
２    凸子
２ａ  凸子の貫通孔
２ｂ  凸子の組織構造体との当接面
４    連結糸
５    生体活性なバイオセラミックス粉体の吹き付け層、又は、
該粉体と生体内分解吸収性ポリマーとの複合体のコーティング層
１０，１１，１２  人工椎間板
２０  椎体
２０ａ  椎体のエンドプレート表面に形成された穴
【図１】
2010113530.tif 000003
【図２】
2010113530.tif 000004
【図３】
2010113530.tif 000005
【図４】
2010113530.tif 000006
【図５】
2010113530.tif 000007
【図６】
2010113530.tif 000008
【図７】
2010113530.tif 000009
【図８】
2010113530.tif 000010
【手続補正書】
【提出日】平成24年3月13日(2012.3.13)
【手続補正１】
【補正対象書類名】特許請求の範囲
【補正対象項目名】全文
【補正方法】変更
【補正の内容】
【特許請求の範囲】
【請求項１】
有機繊維を立体の３軸以上の多軸三次元織組織もしくは編組織又はこれらの複合組織とした組織構造体と、
上記組織構造体の上表面と下表面にそれぞれ設置された凸子と、
からなり、
上記組織構造体の上表面に設置された上記凸子と下表面に設置された上記凸子が、上記組織構造体を上下方向に貫通する連結糸によって、テンションが加えられた状態で連結されている、自立型生体模倣性人工椎間板。
【請求項２】
上記凸子の高さが１．０〜３．０ｍｍであり、上記凸子の組織構造体との当接面が、平坦面又は組織構造体側に凸曲もしくは凹曲する凸曲面もしくは凹曲面に形成されている、請求項１に記載の自立型生体模倣性人工椎間板。
【請求項３】
上記凸子の高さが０．３〜１．０ｍｍであり、上記凸子が組織構造体の上表面と下表面のそれぞれに少なくとも５個づつ設置されている請求項１に記載の自立型生体模倣性人工椎間板。
【請求項４】
上記凸子がＸ線不透過性のバイオセラミックスからなる凸子である、請求項１ないし請求項３のいずれかに記載の自立型生体模倣性人工椎間板。
【請求項５】
上記凸子がＸ線不透過性で且つ生体活性なバイオセラミックスからなる凸子である、請求項１ないし請求項３のいずれかに記載の自立型生体模倣性人工椎間板。
【請求項６】
上記凸子がＸ線不透過性で且つ生体活性な生体内吸収性バイオセラミックスの粉体と生体内分解吸収性ポリマーとの複合体からなる凸子である、請求項１ないし請求項３のいずれかに記載の自立型生体模倣性人工椎間板。
【請求項７】
上記組織構造体の上下の表層部が、上記組織構造体の他の部分よりも柔軟である、請求項１ないし請求項３のいずれかに記載の自立型生体模倣性人工椎間板。
【請求項８】
上記組織構造体の上表面層と下表面層に生体活性なバイオセラミックスの粉体が吹き付けられている、請求項１ないし請求項３のいずれかに記載の自立型生体模倣性人工椎間板。
【請求項９】
上記組織構造体の上表面層と下表面層が、生体活性なバイオセラミックスの粉体と生体内分解吸収性ポリマーとの複合体でコーティングされている、請求項１ないし請求項３のいずれかに記載の自立型生体模倣性人工椎間板。
【国際調査報告】
2010113530.tif 000011
2010113530.tif 000012